(57)【要約】【課題】帰還流路に設けられたフィルタの目詰まりを抑制する。【解決手段】流路ユニット２０には、各個別流路の出口と貯留室７ａの入口７ａｘとに連通する帰還流路３２と、帰還流路３２における帰還フィルタＦ２の上流部分である流路３２ｃから分岐した帰還分岐流路３２ｘとが形成されている。帰還流路３２は、流路３２ａ〜３２ｄと帰還孔３２ｄｘと貫通孔２０ｃとで構成されている。帰還分岐流路３２ｘは、流路３２ｃにおける紙幅方向の一端３２ｃ１から紙幅方向に延びる延在部３２ｘｍと、延在部３２ｘｍの上端面から上方に突出した突出部３２ｘｎとを含む。【選択図】図５
2020049818.tif 000002
【特許請求の範囲】
【請求項１】
ノズルをそれぞれ含む複数の個別流路と、
液体を貯留する貯留室の出口と前記複数の個別流路それぞれの入口とに連通する供給流路と、
前記複数の個別流路それぞれの出口と前記貯留室の入口とに連通する帰還流路と、
前記帰還流路に設けられた帰還フィルタと、
前記帰還流路における前記帰還フィルタの上流部分である帰還上流部から分岐した帰還分岐流路と、を備えたことを特徴とする、液体吐出ヘッド。
【請求項２】
前記供給流路に設けられた供給フィルタをさらに備えたことを特徴とする、請求項１に記載の液体吐出ヘッド。
【請求項３】
前記供給流路における前記供給フィルタの上流部分である供給上流部から分岐した供給分岐流路をさらに備えたことを特徴とする、請求項２に記載の液体吐出ヘッド。
【請求項４】
前記供給上流部は、第１方向に延び、
前記供給上流部における前記第１方向の一端は、前記貯留室の出口と接続し、
前記供給上流部における前記第１方向の他端は、前記供給分岐流路と接続することを特徴とする、請求項３に記載の液体吐出ヘッド。
【請求項５】
前記帰還上流部は、前記第１方向に延び、かつ、前記第１方向と直交する第２方向に前記供給上流部と並び、
前記帰還上流部における前記第１方向の一端は、前記帰還上流部における前記第１方向の他端よりも、前記供給分岐流路から離隔した位置にあり、前記帰還分岐流路と接続することを特徴とする、請求項４に記載の液体吐出ヘッド。
【請求項６】
前記帰還上流部における、前記第１方向の他端から前記第１方向の中央までの領域に、前記複数の個別流路の出口との連通部が設けられたことを特徴とする、請求項５に記載の液体吐出ヘッド。
【請求項７】
前記帰還分岐流路は、前記帰還上流部における前記第１方向の一端から、前記第１方向に延びる延在部を有し、
前記延在部における前記第２方向の長さは、前記帰還上流部の前記一端における前記第２方向の長さと等しく、
前記延在部における前記第１方向及び前記第２方向と直交する第３方向の長さは、前記帰還上流部の前記一端における前記第３方向の長さと等しいことを特徴とする、請求項５又は６に記載の液体吐出ヘッド。
【請求項８】
前記第３方向は、鉛直方向であり、
前記帰還分岐流路は、前記延在部と、前記延在部の上端面から上方に突出した突出部とを有し、
前記延在部の前記上端面は、前記鉛直方向において前記帰還フィルタと同じ位置にあることを特徴とする、請求項７に記載の液体吐出ヘッド。
【請求項９】
前記帰還フィルタは、前記延在部と前記鉛直方向に重なるように、前記第１方向に延び、
前記突出部における前記帰還フィルタより上方の部分を画定する突出部画定部材における、前記延在部と前記鉛直方向に重なる部分が、前記帰還フィルタと接着されたことを特徴とする、請求項８に記載の液体吐出ヘッド。
【請求項１０】
前記帰還フィルタが形成され、前記突出部画定部材に接着されたフィルタプレートを備え、
前記フィルタプレートに、前記突出部を構成する貫通孔が形成されたことを特徴とする、請求項９に記載の液体吐出ヘッド。
【請求項１１】
前記帰還分岐流路の流路抵抗は、前記帰還流路における前記帰還フィルタの下流部分の流路抵抗よりも大きいことを特徴とする、請求項１〜１０のいずれか１項に記載の液体吐出ヘッド。
【請求項１２】
前記帰還分岐流路の流路抵抗は、前記帰還フィルタの流路抵抗と等しいことを特徴とする、請求項１１に記載の液体吐出ヘッド。
【請求項１３】
前記帰還分岐流路を介して前記複数の個別流路と前記貯留室とを連通させず、前記帰還流路を介して前記複数の個別流路と前記貯留室とを連通させる第１位置と、前記帰還流路を介して前記複数の個別流路と前記貯留室とを連通させず、前記帰還分岐流路を介して前記複数の個別流路と前記貯留室とを連通させる第２位置とに切り替え可能な弁を備えたことを特徴とする、請求項１〜１２のいずれか１項に記載の液体吐出ヘッド。
【請求項１４】
前記弁は、前記帰還分岐流路を介して前記複数の個別流路と前記貯留室とを連通させず、かつ、前記帰還流路を介して前記複数の個別流路と前記貯留室とを連通させない第３位置に、さらに切り替え可能であることを特徴とする、請求項１３に記載の液体吐出ヘッド。
【請求項１５】
ノズルをそれぞれ含む複数の個別流路と、
液体を貯留する貯留室の出口と前記複数の個別流路それぞれの入口とに連通する供給流路と、
前記複数の個別流路それぞれの出口と前記貯留室の入口とに連通する帰還流路と、
前記帰還流路に設けられた帰還フィルタと、
前記帰還流路における前記帰還フィルタの上流部分である帰還上流部から分岐した帰還分岐流路と、
前記複数の個別流路と前記帰還分岐流路とを連通させず、前記帰還流路を介して前記複数の個別流路と前記貯留室とを連通させる第１位置と、前記帰還流路を介して前記複数の個別流路と前記貯留室とを連通させず、前記複数の個別流路と前記帰還分岐流路とを連通させる第２位置とに切り替え可能な弁と、
ポンプと、
制御部とを備え、
前記制御部は、気泡除去処理を行う場合に、
前記弁を前記第２位置に保持して前記ポンプを駆動させることで、前記貯留室から前記供給流路、前記複数の個別流路、前記帰還上流部、前記帰還分岐流路へと液体を移動させる第１工程を行うことを特徴とする、液体吐出装置。
【請求項１６】
前記供給流路に設けられた供給フィルタと、
前記供給流路における前記供給フィルタの上流部分である供給上流部から分岐した供給分岐流路と、をさらに備え、
前記弁は、前記複数の個別流路と前記帰還分岐流路とを連通させず、かつ、前記帰還流路を介して前記複数の個別流路と前記貯留室とを連通させない第３位置に、さらに切り替え可能であり、
前記制御部は、前記気泡除去処理を行う場合に、前記第１工程に加え、
前記弁を前記第３位置に保持して前記ポンプを駆動させることで、前記貯留室から前記供給上流部、前記供給分岐流路へと液体を移動させる第２工程を行うことを特徴とする、請求項１５に記載の液体吐出装置。
【発明の詳細な説明】
【技術分野】
【０００１】
本発明は、供給流路及び帰還流路を有する液体吐出ヘッド、並びに、当該液体吐出ヘッドを備えた液体吐出装置に関する。
【背景技術】
【０００２】
特許文献１には、供給側共通液室（供給流路）及び排出側共通液室（帰還流路）を介してタンク（貯留室）と複数の個別液室（個別流路）との間で液体を循環させる液体吐出ヘッドにおいて、排出側共通液室にフィルタを設けた構成が示されている。当該フィルタにより、ヘッド組立時等に排出側共通液室（帰還流路）から個別液室（個別流路）内に異物が侵入するのを防止できる。
【先行技術文献】
【特許文献】
【０００３】
【特許文献１】特開２０１８−０４７６８３号公報
【発明の概要】
【発明が解決しようとする課題】
【０００４】
しかしながら、特許文献１の構成では、液体循環時にフィルタの上流部分に気泡が溜まり、フィルタの目詰まりが生じ得る。フィルタに目詰まりが生じると、液体循環がスムーズに行われず、個別流路への液体の供給不足が生じ得る。また、帰還流路の流路抵抗が大きくなることで、液体循環に係るポンプの駆動力を大きくする必要が生じ得る。さらに、ノズルに対して上流と下流とにおいて流路抵抗の均衡が崩れることで、ノズルのメニスカスが壊れ、ノズルから液漏れが生じ得る。
【０００５】
本発明の目的は、帰還流路に設けられたフィルタの目詰まりを抑制できる液体吐出ヘッド及び液体吐出装置を提供することにある。
【課題を解決するための手段】
【０００６】
本発明に係る液体吐出ヘッドは、ノズルをそれぞれ含む複数の個別流路と、液体を貯留する貯留室の出口と前記複数の個別流路それぞれの入口とに連通する供給流路と、前記複数の個別流路それぞれの出口と前記貯留室の入口とに連通する帰還流路と、前記帰還流路に設けられた帰還フィルタと、前記帰還流路における前記帰還フィルタの上流部分である帰還上流部から分岐した帰還分岐流路と、を備えたことを特徴とする。
【０００７】
本発明に係る液体吐出装置は、ノズルをそれぞれ含む複数の個別流路と、液体を貯留する貯留室の出口と前記複数の個別流路それぞれの入口とに連通する供給流路と、前記複数の個別流路それぞれの出口と前記貯留室の入口とに連通する帰還流路と、前記帰還流路に設けられた帰還フィルタと、前記帰還流路における前記帰還フィルタの上流部分である帰還上流部から分岐した帰還分岐流路と、前記複数の個別流路と前記帰還分岐流路とを連通させず、前記帰還流路を介して前記複数の個別流路と前記貯留室とを連通させる第１位置と、前記帰還流路を介して前記複数の個別流路と前記貯留室とを連通させず、前記複数の個別流路と前記帰還分岐流路とを連通させる第２位置とに切り替え可能な弁と、ポンプと、制御部とを備え、前記制御部は、気泡除去処理を行う場合に、前記弁を前記第２位置に保持して前記ポンプを駆動させることで、前記貯留室から前記供給流路、前記複数の個別流路、前記帰還上流部、前記帰還分岐流路へと液体を移動させる第１工程を行うことを特徴とする。
【図面の簡単な説明】
【０００８】
【図１】本発明の一実施形態に係るヘッド１及びプリンタ１００の平面図である。
【図２】ヘッド１に含まれる流路ユニット２０ｘの平面図である。
【図３】図２のＩＩＩ−ＩＩＩ線に沿ったヘッド１の断面図である。
【図４】図２のＩＶ−ＩＶ線に沿ったヘッド１のマニホールドプレート２２とこれよりも上側の部分を示す断面図である。
【図５】図２のＶ−Ｖ線に沿ったヘッド１のマニホールドプレート２２とこれよりも上側の部分を示す断面図である。
【図６】ヘッド１のフィルタユニット２０ｙを構成する各プレート２６〜２９の図２に示す領域ＶＩの平面図である。
【図７】プリンタ１００の電気的構成を示すブロック図である。
【図８】プリンタ１００の制御部５が実行するヘッド１のメンテナンスに係る制御内容を示すフロー図である。
【発明を実施するための形態】
【０００９】
＜プリンタ１００＞
先ず、図１を参照し、本発明の一実施形態に係るプリンタ１００の全体構成について説明する。
【００１０】
プリンタ１００は、４つのヘッド１を含むヘッドユニット１ｘ、プラテン３、搬送機構４及び制御部５を有する。
【００１１】
搬送機構４は、搬送方向（鉛直方向と直交する方向）にプラテン３を挟んで配置された２つのローラ対４ａ，４ｂを有する。搬送モータ４ｍ（図７参照）の駆動により、ローラ対４ａ，４ｂがそれぞれ用紙９を挟持した状態で回転し、用紙９が搬送方向に搬送される。
【００１２】
ヘッドユニット１ｘは、ライン式（位置が固定された状態でノズル３３ｄ（図２及び図３参照）から用紙９に対してインクを吐出する方式）であり、紙幅方向（鉛直方向及び搬送方向と直交する方向）に長尺である。４つのヘッド１は、紙幅方向に千鳥状に配置されている。
【００１３】
プラテン３は、平板状の部材であり、ヘッドユニット１ｘの下方、かつ、搬送方向において２つのローラ対４ａ，４ｂの間に配置されている。プラテン３の上面に、用紙９が載置される。
【００１４】
制御部５は、ＲＯＭ（Read Only Memory）、ＲＡＭ（Random Access Memory）及びＡＳＩＣ（Application Specific Integrated Circuit）を有する。ＡＳＩＣは、ＲＯＭに格納されたプログラムに従い、記録処理等を実行する。記録処理において、制御部５は、ＰＣ等の外部装置から入力された記録指令（画像データを含む。）に基づき、各ヘッド１のドライバＩＣ１ｄ及び搬送モータ４ｍ（共に図７参照）を制御し、用紙９上に画像を記録する。
【００１５】
＜ヘッド１＞
ヘッド１は、図３に示すように、流路ユニット２０ｘと、流路ユニット２０ｘ上に配置されたフィルタユニット２０ｙとを有する。流路ユニット２０ｘは、鉛直方向に積層されかつ互いに接着された５枚のプレート２１〜２５で構成されている。フィルタユニット２０ｙは、鉛直方向に積層されかつ互いに接着された４枚のプレート２６〜２９で構成されている。
【００１６】
流路ユニット２０ｘを構成する５枚のプレート２１〜２５のうち、最下方のプレート２５は、それぞれノズル３３ｄを構成する複数の貫通孔を有する。
【００１７】
プレート２５の上面には、プレート２４が配置されている。プレート２４は、それぞれ圧力室３３ｃを構成する複数の貫通孔を有する。圧力室３３ｃは、ノズル３３ｄ毎に形成されている。ノズル３３ｄは、図２に示すように、圧力室３３ｃの紙幅方向及び搬送方向の中央と、鉛直方向に重なっている。
【００１８】
１つのノズル３３ｄ及び１つの圧力室３３ｃからなる組は、紙幅方向に配列され、４つの列Ｒ１〜Ｒ４を形成している。４つの列Ｒ１〜Ｒ４は、搬送方向に並んでいる。搬送方向上流から１番目の列Ｒ１に属するノズル３３ｄからは、ブラックのインクが吐出される。搬送方向上流から２番目の列Ｒ２に属するノズル３３ｄからは、イエローのインクが吐出される。搬送方向上流から３番目の列Ｒ３に属するノズル３３ｄからは、シアンのインクが吐出される。搬送方向上流から４番目の列Ｒ４に属するノズル３３ｄからは、マゼンタのインクが吐出される。
【００１９】
プレート２４の上面には、図３に示すように、振動膜２４ｘが配置されている。振動膜２４ｘは、複数の圧力室３３ｃを覆っている。振動膜２４ｘは、列Ｒ１，Ｒ２（図２参照）に属する各圧力室３３ｃの搬送方向下流端と鉛直方向に重なる部分、及び、列Ｒ３，Ｒ４（図２参照）に属する各圧力室３３ｃの搬送方向上流端と鉛直方向に重なる部分に、流入路３３ｂを構成する貫通孔を有する。また、振動膜２４ｘは、列Ｒ１，Ｒ２（図２参照）に属する各圧力室３３ｃの搬送方向上流端と鉛直方向に重なる部分、及び、Ｒ３，Ｒ４（図２参照）に属する各圧力室３３ｃの搬送方向下流端と鉛直方向に重なる部分に、流出路３３ｅを構成する貫通孔を有する。振動膜２４ｘは、例えば、プレート２４の上面を酸化させることによって形成され、二酸化ケイ素（ＳｉＯ2）等からなる。
【００２０】
振動膜２４ｘの上面には、プレート２３が配置されている。プレート２３は、図２及び図３に示すように、各流入路３３ｂと鉛直方向に重なる部分に、流入路３３ａを構成する貫通孔を有し、かつ、各流出路３３ｅと鉛直方向に重なる部分に、流出路３３ｆを構成する貫通孔を有する。プレート２３の下面には、図３に示すように、それぞれアクチュエータ４０を収容する４つの凹部２３ｘが形成されている。各アクチュエータ４０は、振動膜２４ｘと凹部２３ｘとによって形成される空間内に配置されている。
【００２１】
アクチュエータ４０は、４つの列Ｒ１〜Ｒ４のそれぞれに対応して設けられている。各アクチュエータ４０は、振動膜２４ｘの上面に配置された共通電極４２と、共通電極４２の上面に配置された圧電体４１と、圧電体４１の上面に配置された複数の個別電極４３とを有する。圧電体４１及び共通電極４２は、当該列Ｒ１〜Ｒ４に属する複数の圧力室３３ｃに跨るように、紙幅方向に延びている。個別電極４３は、圧力室３３ｃ毎に設けられており、圧力室３３ｃのそれぞれと鉛直方向に重なっている。
【００２２】
共通電極４２及び複数の個別電極４３は、ドライバＩＣ１ｄ（図７参照）と電気的に接続されている。ドライバＩＣ１ｄは、制御部５の制御により、共通電極４２の電位をグランド電位に維持する一方、個別電極４３の電位を変化させる。具体的には、ドライバＩＣ１ｄは、制御部５からの制御信号に基づいて駆動信号を生成し、当該駆動信号を個別電極４３に供給する。これにより、個別電極４３の電位が所定の駆動電位とグランド電位との間で変化する。このとき、振動膜２４ｘ及び圧電体４１において個別電極４３と圧力室３３ｃとで挟まれた部分が、圧力室３３ｃに向かって凸となるように変形することにより、圧力室３３ｃの容積が変化し、圧力室３３ｃ内のインクに圧力が付与され、ノズル３３ｄからインクが吐出される。
【００２３】
プレート２３〜２５及び振動膜２４ｘには、流入路３３ａ，３３ｂ、圧力室３３ｃ、ノズル３３ｄ、流出路３３ｅ，３３ｆからそれぞれ構成される、複数の個別流路３３が形成されている。流入路３３ａの上端が個別流路３３の入口３３ｘに該当し、流出路３３ｆの上端が個別流路３３の出口３３ｙに該当する。
【００２４】
プレート２３の上面には、マニホールドプレート２２が配置されている。マニホールドプレート２２には、４つの供給共通流路３１ｄと、４つの帰還共通流路３２ｄとが形成されている。図２に示すように、４つの列Ｒ１〜Ｒ４のそれぞれに対し、１つの供給共通流路３１ｄ及び１つの帰還共通流路３２ｄからなる組が設けられている。列Ｒ１，Ｒ２と列Ｒ３，Ｒ４とにおいて、共通流路３１ｄ，３２ｄの配置が逆であり、列Ｒ１，Ｒ２では、搬送方向上流側に帰還共通流路３２ｄ、搬送方向下流側に供給共通流路３１ｄが配置されているのに対し、列Ｒ３，Ｒ４では、搬送方向上流側に供給共通流路３１ｄ、搬送方向下流側に帰還共通流路３２ｄが配置されている。各供給共通流路３１ｄは、紙幅方向に延び、当該列Ｒ１〜Ｒ４に属する複数の圧力室３３ｃに連通する複数の流入路３３ａと鉛直方向に重なっている。各帰還共通流路３２ｄは、紙幅方向に延び、当該列Ｒ１〜Ｒ４に属する複数の圧力室３３ｃに連通する複数の流出路３３ｆと鉛直方向に重なっている。
【００２５】
マニホールドプレート２２の上面には、図３〜図５に示すように、プレート２１が配置されている。プレート２１は、図２及び図４に示すように、各供給共通流路３１ｄの紙幅方向の両端と鉛直方向に重なる部分に、供給孔３１ｄｘをそれぞれ有し、かつ、図２及び図５に示すように、各帰還共通流路３２ｄの紙幅方向の両端と鉛直方向に重なる部分に、帰還孔３２ｄｘをそれぞれ有する。
【００２６】
フィルタユニット２０ｙを構成する４枚のプレート２６〜２９のうち、最下方のプレート２９は、図３〜図５に示すように、プレート２１の上面に配置されている。プレート２９には、４つの列Ｒ１〜Ｒ４のそれぞれに対し、供給共通流路３１ｄと鉛直方向に重なる流路３１ｃと、帰還共通流路３２ｄと鉛直方向に重なる流路３２ｃとが形成されている。図６（ｄ）に示すように、流路３１ｃ，３２ｃは、それぞれ紙幅方向に延び、かつ、搬送方向に並んでいる。
【００２７】
プレート２９において、流路３２ｃを構成する貫通孔２９ｙは、流路３１ｃを構成する貫通孔２９ｘよりも、紙幅方向に長い。貫通孔２９ｙは、流路３２ｃに加え、流路３２ｃの紙幅方向の一端３２ｃ１から紙幅方向に延びる延在部３２ｘｍを構成している。なお、流路３２ｃの紙幅方向の一端３２ｃ１から他端３２ｃ２までの紙幅方向の長さは、流路３１ｃの紙幅方向の長さと同じであり、流路３１ｃ，３２ｃは搬送方向に重なっている。
【００２８】
延在部３２ｘｍの搬送方向の長さ（幅）は、流路３２ｃの幅と等しい。鉛直方向から見て、流路３２ｃと延在部３２ｘｍとの間には、凹凸がない。また、流路３１ｃの幅も、流路３２ｃの幅と等しい。具体的には、流路３１ｃ、流路３２ｃ及び延在部３２ｘｍの幅は、１.０〜１．５ｍｍ程度である。
【００２９】
また、流路３１ｃ、流路３２ｃ及び延在部３２ｘｍは、同じプレート２９に形成されていることから、鉛直方向の長さ（深さ）が互いに同じである。図５に示すように、鉛直方向と直交する方向（紙幅方向、搬送方向等）から見て、流路３２ｃと延在部３２ｘｍとの間には、段差がない。具体的には、プレート２９の厚みは０．３〜０．７ｍｍ程度であり、流路３１ｃ、流路３２ｃ及び延在部３２ｘｍの深さは共に０．３〜０．７ｍｍ程度である。
【００３０】
プレート２９の上面には、図３〜図５に示すように、フィルタプレート２８が配置されている。フィルタプレート２８には、４つの列Ｒ１〜Ｒ４のそれぞれに対し、流路３１ｃと鉛直方向に重なる流路３１ｂと、流路３２ｃ及び延在部３２ｘｍと鉛直方向に重なる流路３２ｂとが形成されている。流路３１ｂには、供給フィルタＦ１が設けられている。流路３２ｂにおいて、紙幅方向の一端を除く部分には、帰還フィルタＦ２が設けられている。
【００３１】
各フィルタＦ１，Ｆ２は、例えば電鋳フィルタからなり、その全域に直径１０μ程度の微小貫通孔が多数形成されている。電鋳フィルタは、ＳＵＳのメッシュフィルタ等に比べ、精度よく作製でき、目が細かく濾過性能が高い。
【００３２】
図６（ｃ）に示すように、フィルタプレート２８において、流路３２ｂの紙幅方向の一端は、帰還フィルタＦ２が設けられないことで、貫通孔２８ｘとなっている。貫通孔２８ｘは、延在部３２ｘｍの上端面から上方に突出した突出部３２ｘｎを構成する。
【００３３】
図５に示すように、帰還フィルタＦ２は、延在部３２ｘｍと鉛直方向に重なるように、紙幅方向に延びている。延在部３２ｘｍの上端面は、鉛直方向において帰還フィルタＦ２と同じ位置にある。また、延在部３２ｘｍの鉛直方向の長さは、流路３２ｃの鉛直方向の長さと等しい。
【００３４】
フィルタプレート２８の上面には、図３〜図５に示すように、プレート２７が配置されている。プレート２７には、４つの列Ｒ１〜Ｒ４のそれぞれに対し、流路３１ｂと鉛直方向に重なる流路３１ａと、流路３２ｃと鉛直方向に重なる流路３２ａと、貫通孔２８ｘと鉛直方向に重なる貫通孔２７ｘとが形成されている。流路３１ａ，３２ａは、図６（ｂ）に示すように、それぞれ紙幅方向に延び、かつ、搬送方向に並んでいる。貫通孔２７ｘは、図５に示すように、貫通孔２８ｘと共に、突出部３２ｘｎを構成する。プレート２７は、突出部３２ｘｎにおける帰還フィルタＦ２より上方の部分を画定している。プレート２７の下面において、貫通孔２７ｘと流路３２ａとの間の部分（延在部３２ｘｍと鉛直方向に重なる部分）は、帰還フィルタＦ２と接着されている。
【００３５】
プレート２７の上面には、図３〜図５に示すように、プレート２６が配置されている。プレート２６は、４つの列Ｒ１〜Ｒ４のそれぞれに対し、図４及び図６（ａ）に示すように、流路３１ａの紙幅方向の一端３１ａ１と鉛直方向に重なる部分に、貫通孔２０ａを有し、流路３１ａの紙幅方向の他端３１ａ２と鉛直方向に重なる部分に、貫通孔２０ｂを有する。また、プレート２６は、４つの列Ｒ１〜Ｒ４のそれぞれに対し、図５及び図６（ａ）に示すように、流路３２ａの紙幅方向の一端３２ａ１と鉛直方向に重なる部分に、貫通孔２０ｃを有し、貫通孔２７ｘと鉛直方向に重なる部分に、貫通孔２０ｄを有する。
【００３６】
貫通孔２０ａ，２０ｂは、図４に示すように、管５１を介して、サブタンク７の貯留室７ａに連通している。管５１には、ポンプＰ及び供給弁Ｖ１が設けられている。管５１は、貫通孔２０ａと貯留室７ａの出口７ａｙとを繋ぐ管部５１ａと、貫通孔２０ｂと貯留室７ａの入口７ａｘとを繋ぐ管部５１ｂとを有する。管部５１ａにポンプＰが設けられ、管部５１ｂに供給弁Ｖ１が設けられている。
【００３７】
貫通孔２０ｃ，２０ｄは、図５に示すように、管５２を介して、サブタンク７の貯留室７ａに連通している。管５２には、帰還弁Ｖ２が設けられている。管５２は、貫通孔２０ｃと帰還弁Ｖ２とを繋ぐ管部５２ａと、貫通孔２０ｄと帰還弁Ｖ２とを繋ぐ管部５２ｂと、帰還弁Ｖ２と貯留室７ａの入口７ａｘとを繋ぐ管部５２ｃとを有する。
【００３８】
サブタンク７は、列Ｒ１〜Ｒ４毎に設けられており、貯留室７ａに各色のインクを貯留している。具体的には、列Ｒ１に対し、ブラックのインクを貯留する貯留室７ａを有するサブタンク７が設けられている。列Ｒ２に対し、イエローのインクを貯留する貯留室７ａを有するサブタンク７が設けられている。列Ｒ３に対し、シアンのインクを貯留する貯留室７ａを有するサブタンク７が設けられている。列Ｒ４に対し、マゼンタのインクを貯留する貯留室７ａを有するサブタンク７が設けられている。
【００３９】
プリンタ１００には、それぞれブラック、イエロー、シアン、マゼンタのインクを貯留する４つのメインタンク（図示略）が装着されている。列Ｒ１に対して設けられたサブタンク７は、ブラックのメインタンクに連通し、当該メインタンクから供給されたブラックのインクを貯留している。列Ｒ２に対して設けられたサブタンクは、イエローのメインタンクに連通し、当該メインタンクから供給されたイエローのインクを貯留している。列Ｒ３に対して設けられたサブタンクは、シアンのメインタンクに連通し、当該メインタンクから供給されたシアンのインクを貯留している。列Ｒ４に対して設けられたサブタンクは、マゼンタのメインタンクに連通し、当該メインタンクから供給されたマゼンタのインクを貯留している。
【００４０】
流路ユニット２０には、４つの列Ｒ１〜Ｒ４のそれぞれに対し、図３及び図４に示すように、貯留室７ａの出口７ａｙと各個別流路３３の入口３３ｘとに連通する供給流路３１と、供給流路３１における供給フィルタＦ１の上流部分である流路３１ａから分岐した供給分岐流路３１ｘ（図４にハッチングで示す流路）とが形成されている。供給流路３１は、流路３１ａ〜３１ｄと供給孔３１ｄｘと貫通孔２０ａとで構成されている。供給分岐流路３１ｘは、貫通孔２０ｂで構成されている。
【００４１】
図４に示すように、流路３１ａにおいて、紙幅方向の一端３１ａ１は、貫通孔２０ａ及び管５１を介して、貯留室７ａの出口７ａｙと接続している。流路３１ａにおいて、紙幅方向の他端３１ａ２は、貫通孔２０ｂ（供給分岐流路３１ｘ）と接続している。
【００４２】
流路ユニット２０には、４つの列Ｒ１〜Ｒ４のそれぞれに対し、図３及び図５に示すように、各個別流路３３の出口３３ｙと貯留室７ａの入口７ａｘとに連通する帰還流路３２と、帰還流路３２における帰還フィルタＦ２の上流部分である流路３２ｃから分岐した帰還分岐流路３２ｘ（図５にハッチングで示す流路）とが形成されている。帰還流路３２は、流路３２ａ〜３２ｄと帰還孔３２ｄｘと貫通孔２０ｃとで構成されている。帰還分岐流路３２ｘは、延在部３２ｘｍ及び突出部３２ｘｎを含む。突出部３２ｘｎは、貫通孔２０ｄ，２７ｘ，２８ｘで構成されている。
【００４３】
図６（ａ）に示すように、供給分岐流路３１ｘは、プレート２６の紙幅方向の一端近傍に配置されている。一方、図６（ａ）〜（ｄ）に示すように、帰還分岐流路３２ｘは、各プレート２６〜２９の紙幅方向の他端近傍に配置されている。流路３２ｃの紙幅方向の一端３２ｃ１（帰還分岐流路３２ｘと接続する部分）は、流路３２ｃの紙幅方向の他端３２ｃ２よりも、供給分岐流路３１ｘから離隔した位置にある。
【００４４】
＜インク循環＞
サブタンク７と流路ユニット２０との間でのインクの循環は、制御部５がポンプＰ及び弁Ｖ１，Ｖ２（図３〜図５参照）を制御することで、実現される。
【００４５】
供給弁Ｖ１は、管部５１ｂにおけるインクの流れを許可する（即ち、管部５１ｂの流路を開く）開位置と、管部５１ｂにおけるインクの流れを阻止する（即ち、管部５１ｂの流路を閉じる）閉位置とに切り替え可能である。供給弁Ｖ１が開位置にあるとき、供給分岐流路３１ｘを介して貯留室７ａと複数の個別流路３３とが連通する。
【００４６】
帰還弁Ｖ２は、管部５２ａと管部５２ｃとを連通させる第１位置と、管部５２ｂと管部５２ｃとを連通させる第２位置と、管部５２ａ，５２ｂと管部５１ｃとを連通させない（即ち、管５２の流路を閉じる）第３位置とに切り替え可能である。帰還弁Ｖ２は、例えば、２方電磁バルブであり、上記３つの位置に電磁気的に切り替えられる。帰還弁Ｖ２が第１位置にあるとき、帰還分岐流路３２ｘを介して貯留室７ａと複数の個別流路３３とが連通せず、帰還流路３２を介して貯留室７ａと複数の個別流路３３とが連通する。帰還弁Ｖ２が第２位置にあるとき、帰還流路３２を介して貯留室７ａと複数の個別流路３３とが連通せず、帰還分岐流路３２ｘを介して貯留室７ａと複数の個別流路３３とが連通する。帰還弁Ｖ２が第３位置にあるとき、帰還流路３２を介して貯留室７ａと複数の個別流路３３とが連通せず、帰還分岐流路３２ｘを介して貯留室７ａと複数の個別流路３３とが連通しない。
【００４７】
制御部５は、例えば記録処理中、供給弁Ｖ１を閉位置、帰還弁Ｖ２を第１位置にしてポンプＰを駆動させることで、貯留室７ａの出口７ａｙから供給流路３１、各個別流路３３及び帰還流路３２を経て貯留室７ａの入口７ａｘに戻る循環経路に沿って、インクを循環させる。この際、貯留室７ａから流出したインクは、図４に示すように、管部５１ａを通って貫通孔２０ａから流路３１ａに入り、供給フィルタＦ１を通過して、流路３１ｃを通って供給孔３１ｄｘから供給共通流路３１ｄに入る。当該インクは、図３に矢印で示すように、供給共通流路３１ｄから各個別流路３３の入口３３ｘに流入し、流入路３３ａ，３３ｂを通って圧力室３３ｃに入り、一部がノズル３３ｄから吐出され、残りが流出路３３ｅ，３３ｆを通って出口３３ｙから流出する。各個別流路３３から流出したインクは、帰還共通流路３２ｄに入る。当該インクは、図５に示すように、帰還共通流路３２ｄを通って帰還孔３２ｄｘから流路３２ｃに入り、帰還フィルタＦ２を通過して、流路３２ａに入る。当該インクは、貫通孔２０ｃから流出し、管部５２ａ及び管部５２ｃを通って貯留室７ａに戻る。このようにインクを循環させることで、各個別流路３３内における気泡の排出やインクの増粘防止が実現される。また、インクが沈降成分（沈降が生じ得る成分。顔料等）を含む場合、当該成分が攪拌されて沈降が防止される。
【００４８】
また、制御部５は、ヘッド１のメンテナンス時に、帰還フィルタＦ２下部に溜まった気泡を除去するため、帰還分岐流路３２ｘを通る経路に沿ってインクを循環させ、さらに必要に応じて、供給フィルタＦ１上部に溜まった気泡を除去するため、供給分岐流路３１ｘを通る経路に沿ってインクを循環させる。以下、図８を参照し、制御部５が実行するヘッド１のメンテナンスに係る制御内容について説明する。
【００４９】
先ず、制御部５は、気泡除去処理を行うか否かを判断する（Ｓ１）。例えば、制御部５は、ユーザからメンテナンスを指示する入力を受信したときや、メインタンクからサブタンク７へのインクの初期導入時に、気泡除去処理を行うと判断する。また例えば、制御部は、記録処理中に上記循環経路に沿ってインクを循環させる場合、当該循環がフィルタＦ１，Ｆ２近傍に溜まった気泡により阻害されて記録に係るインク吐出に影響が出ないよう、記録処理を実行する前に、気泡除去処理を行うと判断する。気泡除去処理を行うと判断しない場合（Ｓ１：ＮＯ）、制御部５は、当該処理Ｓ１を繰り返す。
【００５０】
気泡除去処理を行うと判断した場合（Ｓ１：ＹＥＳ）、制御部５は、供給弁Ｖ１を閉位置、帰還弁Ｖ２を第２位置にして（Ｓ２）、ポンプＰを駆動させる（Ｓ３）。これにより、貯留室７ａから供給流路３１、複数の個別流路３３、流路３２ｃ、帰還分岐流路３２ｘへとインクを移動させる（第１工程）。この際、貯留室７ａ内のインクは、図４に示すように、出口７ａｙから流出し、管部５１ａを通って貫通孔２０ａから流路３１ａに入り、供給フィルタＦ１を通過して、流路３１ｃを通って供給孔３１ｄｘから供給共通流路３１ｄに入る。当該インクは、図３に矢印で示すように各個別流路３３を通った後、図５に示すように、帰還共通流路３２ｄを通り、帰還孔３２ｄｘから流路３２ｃに入る。当該インクは、帰還フィルタＦ２の下面に沿って流路３２ｃを流れ、帰還分岐流路３２ｘを通って貫通孔２０ｄから流出し、管部５２ｂ，５２ｃを通って貯留室７ａに戻る。
【００５１】
Ｓ３の後、制御部５は、インクの初期導入時であるか否かを判断する（Ｓ４）。初期導入時でないと判断した場合（Ｓ４：ＮＯ）、制御部５は、当該ルーチンを終了する。
【００５２】
初期導入時であると判断した場合（Ｓ４：ＹＥＳ）、制御部５は、供給弁Ｖ１を開位置、帰還弁Ｖ２を第３位置にして（Ｓ５）、ポンプＰを駆動させる（Ｓ６）。これにより、貯留室７ａから流路３１ａ、供給分岐流路３１ｘへとインクを移動させる（第２工程）。この際、貯留室７ａ内のインクは、図４に示すように、出口７ａｙから流出し、管部５１ａを通って貫通孔２０ａから流路３１ａに入る。当該インクは、供給フィルタＦ１の上面に沿って流路３１ａを流れ、供給分岐流路３１ｘを通って貫通孔２０ｂから流出し、管部５１ｂを通って貯留室７ａに戻る。
【００５３】
Ｓ６の後、制御部５は、当該ルーチンを終了する。
【００５４】
なお、帰還分岐流路３２ｘを通らず帰還流路３２を通る循環経路は、帰還フィルタＦ２を通過するのに対し、帰還分岐流路３２ｘを通る循環経路は、帰還フィルタＦ２を通過しない。これらの循環経路において流路抵抗が異なると、ノズル３３ｄのメニスカスが壊れ、インク漏れが生じ得る。これを防止するため、本実施形態では、帰還分岐流路３２ｘの流路抵抗を、例えば突出部３２ｘｎの径を調整することにより、帰還流路３２における帰還フィルタＦ２の下流部分（流路３２ａ及び貫通孔２０ｃ）の流路抵抗よりも大きく、かつ、帰還フィルタＦ２の流路抵抗と等しくしている。
【００５５】
＜実施形態と本発明の要素との対比＞
以上に述べた実施形態において、プリンタ１００が「液体吐出装置」、ヘッド１が「液体吐出ヘッド」、流路３１ａが「供給上流部」、流路３２ｃが「帰還上流部」、帰還孔３２ｄｘが「連通部」、プレート２７が「突出部画定部材」、帰還弁Ｖ２が「弁」、紙幅方向が「第１方向」、搬送方向が「第２方向」、鉛直方向が「第３方向」に該当する。
【００５６】
＜実施形態の効果＞
本実施形態によれば、ヘッド１は、複数の個別流路３３、供給流路３１及び帰還流路３２に加え、帰還流路３２における帰還フィルタＦ２の上流部分（流路３２ｃ）から分岐した帰還分岐流路３２ｘを備えている（図５参照）。また、プリンタ１００の制御部５は、気泡除去処理を行う場合に、帰還弁Ｖ２を第２位置に保持してポンプＰを駆動させることで（図８のＳ２，Ｓ３）、貯留室７ａから供給流路３１、複数の個別流路３３、流路３２ｃ、帰還分岐流路３２ｘへと液体を移動させる第１工程を行う。これにより、帰還分岐流路３２ｘを介して流路３２ｃにある気泡を排出し、帰還フィルタＦ２の目詰まりを抑制できる。
【００５７】
ヘッド１は、供給流路３１に設けられた供給フィルタＦ１をさらに備えている（図４参照）。この場合、供給フィルタＦ１により、インク循環時に個別流路３３内に異物（粉塵、気泡等を含む。）が侵入することを防止できる。
【００５８】
ヘッド１は、供給流路３１における供給フィルタＦ１の上流部分（流路３１ａ）から分岐した供給分岐流路３１ｘをさらに備えている（図４参照）。また、プリンタ１００の制御部５は、気泡除去処理を行う場合に、第１工程に加え、供給弁Ｖ１を開位置、帰還弁Ｖ２を第３位置に保持してポンプＰを駆動させることで（図８のＳ５，Ｓ６）、貯留室７ａから流路３１ａ、供給分岐流路３１ｘへとインクを移動させる、第２工程を行う。これにより、供給分岐流路３１ｘを介して流路３１ａにある気泡を排出し、供給フィルタＦ１の目詰まりを抑制できる。
【００５９】
流路３１ａの紙幅方向の一端３１ａ１は、貯留室７ａの出口７ａｙと接続し、流路３１ａの紙幅方向の他端３１ａ２は、供給分岐流路３１ｘと接続している（図４参照）。この場合、流路３１ａでは、紙幅方向の一端３１ａ１から他端３１ａ２に向かってインクが流れることになる。当該他端３１ａ２に供給分岐流路３１ｘが接続することで、他端３１ａ２に溜まった気泡を供給分岐流路３１ｘから効率よく排出できる。
【００６０】
流路３２ｃの紙幅方向の一端３２ｃ１（帰還分岐流路３２ｘと接続する部分）は、流路３２ｃの紙幅方向の他端３２ｃ２よりも、供給分岐流路３１ｘから離隔した位置にある（図６（ａ）〜（ｄ）参照）。この場合、帰還分岐流路３２ｘが供給分岐流路３１ｘから比較的遠い位置にあることで、各分岐流路３１ｘ，３２ｘを設けるためのスペースを確保できる。
【００６１】
流路３２ｃの紙幅方向の他端３２ｃ２から紙幅方向の中央までの領域に（本実施形態では、図５に示すように他端３２ｃ２に）、複数の個別流路３３の出口３３ｙとの連通部である帰還孔３２ｄｘが設けられている（図５参照）。この場合、流路３２ｃでは、紙幅方向の他端３２ｃ２から一端３２ｃ１に向かってインクが流れることになる。当該一端３２ｃ１に帰還分岐流路３２ｘが接続することで、一端３２ｃ１に溜まった気泡を帰還分岐流路３２ｘから効率よく排出できる。
【００６２】
延在部３２ｘｍの搬送方向の長さは、流路３２ｃの搬送方向の長さと等しく（図６（ｄ）参照）、かつ、延在部３２ｘｍの鉛直方向の長さは、流路３２ｃの鉛直方向の長さと等しい（図５参照）。この場合、流路３２ｃと帰還分岐流路３２ｘとの接続部分において、流路幅や流路高さが変化せず、凹凸や段差が生じないため、気泡が当該接続部分に滞留することなく、流路３２ｃから帰還分岐流路３２ｘへとスムーズに流れる。したがって、流路３２ｃにある気泡の排出性が向上する。
【００６３】
延在部３２ｘｍの上端面は、鉛直方向において帰還フィルタＦ２と同じ位置にある（図５参照）。この場合、帰還フィルタＦ２の下面に沿って、流路３２ｃから延在部３２ｘｍへと気泡がスムーズに流れる。したがって、流路３２ｃにある気泡の排出性がより一層向上する。
【００６４】
帰還フィルタＦ２は延在部３２ｘｍと鉛直方向に重なるように紙幅方向に延び、プレート２７における延在部３２ｘｍと鉛直方向に重なる部分が帰還フィルタＦ２と接着されている（図５参照）。プレート２７の上記部分は、下方に延在部３２ｘｍの流路空間があるため、押圧力を付与し難く、当該部分を孔の無い部材と接着すると、接着力が不足し得る。この点、上記構成では、帰還フィルタＦ２の孔に接着剤が保持され、良好な接着力が得られる。
【００６５】
帰還フィルタＦ２が形成されたフィルタプレート２８に、突出部３２ｘｎを構成する貫通孔２８ｘが形成されている（図５参照）。この場合、延在部３２ｘｍの鉛直方向の長さが流路３２ｃの鉛直方向の長さと等しいという要件や、延在部３２ｘｍの上端面が鉛直方向において帰還フィルタＦ２と同じ位置にある要件を、比較的簡単に満たすことができる。
【００６６】
帰還分岐流路３２ｘの流路抵抗は、帰還流路３２における帰還フィルタＦ２の下流部分（流路３２ａ及び貫通孔２０ｃ）の流路抵抗よりも大きい。ここで、帰還流路３２における帰還フィルタＦ２の下流部分の流路抵抗は、帰還フィルタＦ２の流路抵抗よりも小さいことが一般である。帰還分岐流路３２ｘの流路抵抗が帰還流路３２における帰還フィルタＦ２の下流部分の流路抵抗よりも大きいことで、帰還分岐流路３２ｘの流路抵抗が帰還フィルタＦ２の流路抵抗に近くなる。これにより、帰還分岐流路３２ｘを通らず帰還流路３２を通る循環経路と、帰還分岐流路３２ｘを通る循環経路とにおいて、流路抵抗の差が抑制され、インク漏れが生じる問題を防止できる。
【００６７】
帰還分岐流路３２ｘの流路抵抗は、帰還フィルタＦ２の流路抵抗と等しい。この場合、帰還分岐流路３２ｘを通らず帰還流路３２を通る循環経路と、帰還分岐流路３２ｘを通る循環経路とにおいて、流路抵抗の差がより確実に抑制され、インク漏れが生じる問題をより確実に防止できる。
【００６８】
ヘッド１は、帰還分岐流路３２ｘを介して貯留室７ａと複数の個別流路３３とを連通させず、帰還流路３２を介して貯留室７ａと複数の個別流路３３とを連通させる第１位置と、帰還流路３２を介して貯留室７ａと複数の個別流路３３とを連通させず、帰還分岐流路３２ｘを介して貯留室７ａと複数の個別流路３３とを連通させる第２位置とに切り替え可能な帰還弁Ｖ２を備えている（図５参照）。この場合、必要に応じて帰還弁Ｖ２を第１位置から第２位置に切り替え（図８のＳ２）、流路３２ｃにある気泡を排出できる。
【００６９】
帰還弁Ｖ２は、第１位置及び第２位置に加え、帰還分岐流路３２ｘを介して複数の個別流路３３と貯留室７ａとを連通させず、かつ、帰還流路３２を介して複数の個別流路３３と貯留室７ａとを連通させない第３位置に、さらに切り替え可能である。この場合、必要に応じて帰還弁Ｖ２を第３位置に切り替え（図８のＳ５）、供給流路３１側でインクを循環させることができる。
【００７０】
＜変形例＞
以上、本発明の好適な実施形態について説明したが、本発明は、上述の実施形態に限定されず、特許請求の範囲に記載した限りにおいて様々な設計変更が可能である。
【００７１】
帰還分岐流路や供給分岐流路は、供給流路及び帰還流路が連通する貯留室に連通することに限定されず、当該貯留室とは別の貯留室に連通してもよいし、大気に開放されてもよい。
【００７２】
帰還分岐流路と供給分岐流路とは、互いに離隔した位置に設けられることに限定されず、互いに近接した位置に設けられてもよい。
【００７３】
供給分岐流路や供給フィルタを省略してもよい。
【００７４】
帰還分岐流路の延在部における第２方向（上述の実施形態では搬送方向）の長さが、帰還上流部の一端における第２方向の長さと異なり、或いは、帰還分岐流路の延在部における第３方向（上述の実施形態では鉛直方向）の長さが、帰還上流部の一端における第３方向の長さと異なることで、延在部と帰還上流部の一端との間に凹凸や段差があってもよい。
【００７５】
帰還フィルタにおいて突出部画定部材と接着される領域（上述の実施形態では、帰還フィルタＦ２においてプレート２７接着される領域：図５参照）に形成された孔のサイズやパターンは、それ以外の領域（液体が通過する領域）に形成された孔のサイズやパターンと異なってもよい。例えば、帰還フィルタにおいて、突出部画定部材と接着される領域は、異物を捕捉する部分ではないため、また、孔に接着材を保持し易いように、それ以外の領域（液体が通過する領域）よりも、孔のサイズを大きくしてよい。
【００７６】
帰還フィルタは、突出部画定部材と接着されなくてもよい。例えば、帰還フィルタが、延在部と鉛直方向に重なる位置まで延びず、突出部画定部材における延在部と鉛直方向と重なる部分が、帰還フィルタと接着されずに、延在部に露出してもよい。
【００７７】
帰還分岐流路の延在部の上端面は、鉛直方向において帰還フィルタと異なる位置（例えば、帰還フィルタよりも上方）にあってもよい。
【００７８】
帰還フィルタが形成されたフィルタプレートとは別の部材に、帰還分岐流路の突出部を構成する貫通孔が形成されてもよい。
【００７９】
帰還分岐流路は、延在部及び突出部を有する構成に限定されず、例えば、延在部（第１方向に延びる部分）のみで構成されてもよいし、突出部（上方に延びる部分）のみで構成されてもよい。
【００８０】
帰還分岐流路の流路抵抗は、帰還フィルタの流路抵抗と等しくなくてもよく、また、帰還流路における帰還フィルタの下流部分の流路抵抗以下であってもよい。
【００８１】
ポンプは、供給流路と貯留室の出口との間、及び、帰還流路と貯留室の入口との間の、いずれに設けられてもよく、これら両方に設けられてもよい。
【００８２】
供給共通流路及び帰還共通流路の数は、それぞれ、複数に限定されず、１つでもよい。また、供給孔及び帰還孔の位置や数も、特に限定されない。
【００８３】
各個別流路に含まれるノズルや圧力室の数は、特に限定されない。例えば、各個別流路は１つのノズルと２つの圧力室とを含んでよい。各個別流路が２つ以上のノズルを含んでもよい。
【００８４】
アクチュエータは、圧電素子を用いたピエゾ方式のものに限定されず、その他の方式（例えば、発熱素子を用いたサーマル方式、静電力を用いた静電方式等）のものであってもよい。
【００８５】
ヘッドは、ライン式に限定されず、シリアル式（紙幅方向と平行な走査方向に移動しつつノズルから吐出対象に対して液体を吐出する方式）であってもよい。
【００８６】
吐出対象は、用紙に限定されず、例えば布、基板等であってもよい。
【００８７】
ノズルから吐出される液体は、インクに限定されず、任意の液体（例えば、インク中の成分を凝集又は析出させる処理液、液状化した金属や樹脂等）であってよい。
【００８８】
本発明は、プリンタに限定されず、ファクシミリ、コピー機、複合機等にも適用可能である。また、本発明は、画像の記録以外の用途で使用される液体吐出装置（例えば、基板に導電性の液体を吐出して導電パターンを形成する液体吐出装置）にも適用可能である。
【符号の説明】
【００８９】
１  ヘッド（液体吐出ヘッド）
５  制御部
７  サブタンク
７ａ  貯留室
７ａｘ  入口
７ａｙ  出口
２７  プレート（突出部画定部材）
２８  フィルタプレート
２８ｘ  貫通孔
３１  供給流路
３１ａ  流路（供給上流部）
３１ｘ  供給分岐流路
３２  帰還流路
３２ｃ  流路（帰還上流部）
３２ｃ１  一端
３２ｃ２  他端
３２ｄｘ  帰還孔（連通部）
３２ｘ  帰還分岐流路
３２ｘｍ  延在部
３２ｘｎ  突出部
３３  個別流路
３３ｘ  入口
３３ｄ  ノズル
３３ｙ  出口
１００  プリンタ（液体吐出装置）
Ｆ１  供給フィルタ
Ｆ２  帰還フィルタ
Ｐ  ポンプ
Ｖ１  供給弁
Ｖ２  帰還弁（弁）
【図１】
2020049818.tif 000003
【図２】
2020049818.tif 000004
【図３】
2020049818.tif 000005
【図４】
2020049818.tif 000006
【図５】
2020049818.tif 000007
【図６】
2020049818.tif 000008
【図７】
2020049818.tif 000009
【図８】
2020049818.tif 000010